(57)【特許請求の範囲】
【請求項１】
複数の車両からなる列車に搭載され、前記列車の各車両内に配置されている複数の表示器と伝送路で接続されており、
前記表示器の駆動状態を検出してモニタリング情報を生成するモニタリング部と、
前記複数の表示器の前記モニタリング情報に基づいて、前記表示器が画像表示品質を保持しているかどうかを前記複数の表示器について判断した結果を、前記駆動状態の解析情報として生成する解析部と、
前記モニタリング情報および前記解析情報を記憶する記憶部と、
前記解析情報に基づいて、前記複数の表示器の駆動状態を車両単位毎に一括表示する状態表示パネル部と、
前記状態表示パネル部における表示の制御を行うとともに、前記複数の表示器の解析情報に基づいて、寿命が来る前に、予め寿命が近づいている旨の所定のアラームを、前記表示器の駆動状態として前記状態表示パネル部に表示する表示制御部と、
を備え、
前記モニタリング情報が、前記表示器における画像表示時の輝度情報であり、
前記解析部は、前記輝度情報に基づいて前記表示器の駆動状態の解析を行い、
前記表示制御部は、前記表示器における画像表示時の輝度が、一括管理している前記表示器全体の輝度の平均値と、予め設定された画像表示時の標準輝度の半減値と、の範囲内である場合に前記所定のアラームを前記状態表示パネル部に表示させること、
を特徴とする列車内表示器管理システム。
【請求項２】
前記解析部は、前記解析情報として前記表示器の輝度が画像表示品質を保持するための所定の値よりも低下している旨の輝度低下情報を生成した場合に、前記表示器の駆動電流の調整を指示する電流値調整指示情報を前記表示器に送信し、
前記表示器は、前記電流値調整指示情報を受信した場合に、前記電流値調整指示情報に基づいて駆動電流の調整を行うこと、
を特徴とする請求項１に記載の列車内表示器管理システム。
【請求項３】
前記モニタリング情報として、さらに前記表示器における画像表示の積算時間を使用し、
前記解析部は、前記輝度情報および積算表示時間情報に基づいて前記表示器の駆動状態の解析を行うこと、
を特徴とする請求項１または２に記載の列車内表示器管理システム。
【請求項４】
前記表示制御部は、前記積算時間が、予め設定された所定の時間数を超えた場合に前記所定のアラームを前記状態表示パネル部に表示させること、
を特徴とする請求項１〜３のいずれか１つに記載の列車内表示器管理システム。
【請求項５】
前記モニタリング情報として、さらに前記表示器における筐体内の温度情報を使用し、
前記解析部は、前記輝度情報および前記温度情報に基づいて前記表示器の駆動状態の解析を行うこと、
を特徴とする請求項１〜４のいずれか１つに記載の列車内表示器管理システム。
【請求項６】
前記解析部は、前記表示器の駆動状態の解析を行って、該表示器の交換時期を設定すること、
を特徴とする請求項１〜５のいずれか１つに記載の列車内表示器管理システム。
【請求項７】
前記状態表示パネル部は、車両単位且つ編成単位で前記複数の表示器の駆動状態を一括表示すること、
を特徴とする請求項１〜６のいずれか１つに記載の列車内表示器管理システム。
【請求項８】
前記解析部から送信される前記解析情報を受信可能であり、管理対象となる複数の列車に配置された全ての前記表示器の前記解析情報を一括管理する管理センタをさらに有し、  前記管理センタは、
前記複数の列車の解析部から送信された解析情報に基づいて、前記管理対象となる複数の列車に配置された全ての前記表示器の駆動状態を車両単位毎に一括表示する管理状態表示パネル部と、
前記管理状態表示パネル部における表示の制御を行うとともに、前記全ての表示器の解析情報に基づいて、寿命が近づいている旨の所定のアラームを、前記表示器の駆動状態として前記管理状態表示パネル部に表示する表示制御部と、
を備えること、
を特徴とする請求項１〜７のいずれか１つに記載の列車内表示器管理システム。
【請求項９】
列車の車両内に配置されている複数の表示器の管理方法であって、
前記複数の表示器の駆動状態を検出してモニタリング情報を生成するモニタリング工程と、
前記複数の表示器の前記モニタリング情報に基づいて、前記表示器が画像表示品質を保持しているかどうかを前記複数の表示器について判断した結果を、前記駆動状態の解析情報として生成する解析工程と、
前記複数の表示器の解析情報に基づいて、寿命が来る前に、予め寿命が近づいている旨の所定のアラームを、前記表示器の駆動状態として状態表示パネルに車両単位毎に一括表示する駆動状態表示工程と、
を含み、
前記モニタリング情報が、前記表示器における画像表示時の輝度情報であり、
前記解析工程では、前記輝度情報に基づいて前記表示器の駆動状態の解析を行い、
前記駆動状態表示工程では、前記表示器における画像表示時の輝度が、一括管理する前記複数の表示器全体の輝度の平均値と、予め設定された画像表示時の標準輝度の半減値と、の範囲内である場合に前記所定のアラームを状態表示パネルに表示させること、
を特徴とする列車内表示器管理方法。
【請求項１０】
前記解析工程における前記解析の結果として前記表示器の輝度が画像表示品質を保持するための所定の値よりも低下している旨の輝度低下情報を生成した場合に、前記輝度低下情報に基づいて前記輝度が画像表示品質を保持するための所定の値よりも低下している表示器の駆動電流の調整を行うこと、
を特徴とする請求項９に記載の列車内表示器管理方法。
【請求項１１】
前記モニタリング情報として、さらに前記表示器における画像表示の積算表示時間情報を使用し、
前記解析工程において、前記輝度情報および前記積算表示時間情報に基づいて前記表示器の駆動状態の解析を行うこと、
を特徴とする請求項９または１０に記載の列車内表示器管理方法。
【請求項１２】
前記モニタリング情報として、さらに前記表示器における筐体内の温度情報を使用し、  前記解析工程において、前記輝度情報および前記温度情報に基づいて前記表示器の駆動状態の解析を行うこと、
を特徴とする請求項９〜１１のいずれか１つに記載の列車内表示器管理方法。
【請求項１３】
前記解析工程において、前記表示器の駆動状態の解析を行って、該表示器の交換時期を設定すること、
を特徴とする請求項９〜１２のいずれか１つに記載の列車内表示器管理方法。
【請求項１４】
前記駆動状態表示工程において、車両単位且つ編成単位で前記複数の表示器の駆動状態を一括表示すること、
を特徴とする請求項９〜１３のいずれか１つに記載の列車内表示器管理方法。
【請求項１５】
管理対象となる複数の列車に配置された全ての前記表示器の前記解析情報を一括管理する管理センタに対して前記複数の列車の前記解析部が前記解析情報を送信し、
前記管理センタは、前記複数の列車の前記解析部から送信された前記複数の列車に配置された全ての表示器の前記解析情報に基づいて、寿命が近づいている旨の所定のアラームを、前記表示器の駆動状態として状態表示パネルに表示すること、
を特徴とする請求項９〜１４のいずれか１つに記載の列車内表示器管理方法。
【発明の詳細な説明】
【技術分野】
【０００１】
本発明は、列車内表示器管理システムおよび列車内表示器管理方法に関するものであり、特に列車内に配置されている複数の表示器のメンテナンスを一括して管理するための列車内表示器管理システムおよび列車内表示器管理方法に関するものである。
【背景技術】
【０００２】
従来、鉄道列車の車内においては、乗客に対して運行情報等の案内や広告を通知するために、車両内情報システムの表示装置として液晶ディスプレイを使用した表示器が車両内に配置されている（たとえば、特許文献１参照）。
【０００３】
このような車内の表示器においては、乗客に対して運行情報等の案内や広告を確実に通知するために品質を一定に保持する必要がある。一方、表示器の液晶ディスプレイには寿命があり、使用年数によって輝度が低下する。液晶ディスプレイの輝度が低下した場合には画面表示が暗くなり、表示品質が低下して画像の視認性が悪くなるという問題がある。また、液晶ディスプレイの輝度の低下は一様ではなく個体毎に異なるため、個々の表示器毎にメンテナンスを実施する必要がある。
【０００４】
そこで、従来は作業員が電車の車内を巡回し、１台１台の表示器の表示の明るさ（輝度）を確認して、交換などのメンテナンスの必要の有無を１台１台の表示器に対して判断していた。
【０００５】
【特許文献１】特開２００４−７０２５４号公報
【発明の開示】
【発明が解決しようとする課題】
【０００６】
しかしながら、上述したような表示器は１つの車両内に複数個配置されているため、電車の１編成だけでも多数の表示器が使用されている。このため、１台１台の表示器に対してメンテナンスの必要の有無を管理することは非常に手間の掛かる作業であり、作業員にとって非常に負荷が大きい、という問題があった。
【０００７】
本発明は、上記に鑑みてなされたものであって、車両内に配置されている複数の表示器のメンテナンスを容易に管理することが可能な列車内表示器管理システムおよび列車内表示器管理方法を得ることを目的とする。
【課題を解決するための手段】
【０００８】
上述した課題を解決し、目的を達成するために、本発明にかかる列車内表示器管理システムは、複数の車両からなる列車に搭載され、列車の各車両内に配置されている複数の表示器と伝送路で接続されており、複数の車両からなる列車に搭載され、列車の各車両内に配置されている複数の表示器と伝送路で接続されており、表示器の駆動状態を検出してモニタリング情報を生成するモニタリング部と、複数の表示器のモニタリング情報に基づいて、表示器が画像表示品質を保持しているかどうかを複数の表示器について判断した結果を、駆動状態の解析情報として生成する解析部と、モニタリング情報および解析情報を記憶する記憶部と、解析情報に基づいて、複数の表示器の駆動状態を車両単位毎に一括表示する状態表示パネル部と、状態表示パネル部における表示の制御を行うとともに、複数の表示器の解析情報に基づいて、寿命が来る前に、予め寿命が近づいている旨の所定のアラームを、表示器の駆動状態として状態表示パネル部に表示する表示制御部と、を備え、モニタリング情報が、表示器における画像表示時の輝度情報であり、解析部は、輝度情報に基づいて表示器の駆動状態の解析を行い、表示制御部は、表示器における画像表示時の輝度が、一括管理している表示器全体の輝度の平均値と、予め設定された画像表示時の標準輝度の半減値と、の範囲内である場合に所定のアラームを状態表示パネル部に表示させること、を特徴とする。
【発明の効果】
【０００９】
この発明によれば、列車の車両内に配置されている複数の表示器の状態を一括して１つの画面に表示することにより、複数の表示器の状態管理を容易に一括して把握し、管理することができ、車両内に配置されている複数の表示器のメンテナンスを容易に管理することができる、という効果を奏する。
【発明を実施するための最良の形態】
【００１０】
以下に、本発明にかかる列車内表示器管理システムおよび列車内表示器管理方法の実施の形態を図面に基づいて詳細に説明する。なお、本発明は以下の記述に限定されるものではなく、本発明の要旨を逸脱しない範囲において適宜変更可能である。
【００１１】
実施の形態１．
図１は、本発明の実施の形態１にかかる列車内表示器管理システムの概略構成を示す図である。図１において、列車の車両は１号車〜ｎ号車あるが、この図ではＮ＝３の３両編成を例に示している。１号車Ｔ１には、乗客に対して運行情報等の案内や広告を通知するために、車両内情報システムの表示装置として液晶ディスプレイ（ＬＣＤ：Liquid  Crystal  Display）を使用した表示器１１ａ、１２ａ、２１ａ、２２ａ、３１ａ、３２ａが搭載されている。
【００１２】
同様に、２号車Ｔ２には、乗客に対して運行情報等の案内や広告を通知するために、車両内情報システムの表示装置として液晶ディスプレイを使用した表示器１１ｂ、１２ｂ、２１ｂ、２２ｂ、３１ｂ、３２ｂが搭載されている。同様に、３号車Ｔ３には、乗客に対して運行情報等の案内や広告を通知するために、車両内情報システムの表示装置として液晶ディスプレイを使用した表示器１１ｃ、１２ｃ、２１ｃ、２２ｃ、３１ｃ、３２ｃが搭載されている（以下、表示器を総称して表示器１１と呼ぶ場合がある）。
【００１３】
これらの表示器１１は、たとえば図２に示すように、車両内において片側各ドアの鴨居部に２台ずつ設置されるものである。図１では、各車両内の表示器１１を６台としているが、各車両内に設置する表示装置は６台に限定されるものではない。
【００１４】
本実施の形態にかかる列車内表示器管理システムは、１号車Ｔ１〜３号車Ｔ３の車両内に配置されている複数の表示器１１における駆動状態をモニタリングして所定の単位毎に１つの画面に表示して、１号車Ｔ１〜３号車Ｔ３の車両内に配置されている複数の表示器の駆動状態を一括管理する。ここでは、列車の１編成ごとに表示器の駆動状態を一括管理する。このような本実施の形態にかかる列車内表示器管理システムは、各表示器１１にそれぞれ配置されたモニタリング部１０ｓと、先頭車両である１号車Ｔ１に搭載された列車内表示器管理装置１０ａと、を備えて構成されている。
【００１５】
列車内表示器管理装置１０ａと表示器１１とは伝送路２で接続され、表示器１１ａ、２１ａ、３１ａ同士、表示器１１ｂ、２１ｂ、３１ｂ同士、表示器１１ｃ、２１ｃ、３１ｃ同士はそれぞれ伝送路３を介して接続されている。また、表示器１１ａ、１２ａ同士、表示器２１ａ、２２ａ同士、表示器３１ａ、３２ａ同士はそれぞれ伝送路４を介して接続されている。これらの伝送路２、伝送路３および伝送路４は、デジタル伝送路およびアナログ伝送路のいずれも使用可能である。
【００１６】
モニタリング部１０ｓは、各表示器１１の駆動状態を検出して表示器１１毎にモニタリング情報を生成する。モニタリング部１０ｓは、たとえば、表示器１１における画像表示時の輝度をモニタリングしてモニタリング情報として輝度情報を生成する輝度センサ（光度計）を有する。図３は、輝度センサの配置位置の一例を説明するための図である。図３においては矢印Ａの方向から表示器１１の画面を視認する。輝度センサ１０ｓｐは、たとえば図３に示すように表示器１１の中央部背面側に光穴１１ｈを設け、該光穴１１ｈから外部に漏れる液晶ディスプレイのバックライトの光をセンシングするように配置される。
【００１７】
また、モニタリング部１０ｓは、たとえば表示器１１における画像表示の積算時間をカウント、積算してモニタリング情報として積算表示時間情報を生成する積算時間カウンタを有する。積算時間カウンタは、具体的には表示器１１における液晶ディスプレイのバックライトの駆動時間をカウントする。バックライトの駆動時間のカウントは、バックライトに電力を供給している時間をカウントすることにより得られる。
【００１８】
図４は、１号車Ｔ１に搭載された列車内表示器管理装置１０ａの内部構造を示すブロック図である。図４に示すように、列車内表示器管理装置１０ａは、通信Ｉ／Ｆ１６と、ＣＰＵ１７と、記憶部１８と、状態表示パネル部１９と、を有する。
【００１９】
通信Ｉ／Ｆ１６は、複数の伝送インターフェイス機能を有する。列車内表示器管理装置１０ａと表示器１１との伝送路２による接続は、通信Ｉ／Ｆ１６を介して行われる。ＣＰＵ１７は、列車内表示器管理システムの制御を行う演算部である。ＣＰＵ１７が、記憶部１８に保持されたプログラムを読み出して実行することにより、解析部４１と表示制御部４２とが記憶部１８上にロードされ、該解析部４１と表示制御部４２とが記憶部１８上にソフトウエア構成として生成されるようになっている。
【００２０】
また、ＣＰＵ１７が実行するプログラムは、インストール可能な形式又は実行可能な形式のファイルでＣＤ−ＲＯＭ、フロッピー（登録商標）ディスク（ＦＤ）、ＤＶＤ等の列車内表示器管理装置１０ａで読み取り可能な記録媒体に記録されて提供されてもよい。
【００２１】
解析部４１は、全ての表示器１１のモニタリング情報を取得し、解析して該全ての表示器１１の駆動状態の解析情報を生成する。たとえば解析部４１は、モニタリング情報として全ての表示器１１の輝度情報を取得し、解析して該全ての表示器１１の表示輝度の状態の解析情報を生成する。また、たとえば解析部４１は、モニタリング情報として全ての表示器１１の積算表示時間情報を取得し、解析して該全ての表示器１１の積算時間の状態の解析情報を生成する。
【００２２】
表示制御部４２は、解析情報に基づいて状態表示パネル部１９における表示の制御を行う。記憶部１８は、ＣＰＵ１７の制御によりモニタリング情報を含む各種データおよび列車内表示器管理システムの制御を行うための各種プログラムを記憶する。状態表示パネル部１９は、解析情報に基づいて複数の表示器１１の駆動状態を一括表示する。ここで、状態表示パネル部１９は、表示制御部４２の制御により、所定の単位として車両単位で複数の表示器１１の駆動状態を一括表示することが可能である。また、状態表示パネル部１９は、表示制御部４２の制御により、所定の単位として編成単位で複数の表示器１１の駆動状態を一括表示することが可能である。
【００２３】
図５は、表示器１１の駆動状態として表示器１１の液晶ディスプレイ（ＬＣＤ）の輝度状態を状態表示パネル部１９において一括表示した場合の状態表示パネル部１９の画面の一例を示した図である。図５においては、表示器１１の駆動状態が正常である場合には該当する状態表示部５０が消灯し、表示器１１の駆動状態が異常である場合には該当する状態表示部５０が点灯し（アラーム表示）、表示器１１の駆動状態が所定の警告状態にある場合には該当する状態表示部５０が点滅（アラーム表示）するような表示形態について示している。
【００２４】
同図では、表示器１１の液晶ディスプレイ（ＬＣＤ）の輝度状態をチェック要素として表示器１１の駆動状態を状態表示パネル部１９において一括表示した場合を示したが、表示器１１における画像表示の積算時間をチェック要素として表示器１１の駆動状態を状態表示パネル部１９において一括表示することもでき、さらに他の事項をチェック要素としても良い。また、これらの複数のチェック要素を総合した表示器１１の駆動状態を状態表示パネル部１９において一括表示しても良い。
【００２５】
次に、本実施の形態にかかる列車内表示器管理システムの動作について、モニタリング情報として輝度情報を用いた場合を例に図６を参照して説明する。図６は、列車内表示器管理システムの動作を説明するためのフローチャートである。
【００２６】
まず、各モニタリング部１０ｓの輝度センサ１０ｓｐが、所定の間隔で周期的に各表示器１１における画像表示時の液晶ディスプレイ（ＬＣＤ）の輝度を測定して、モニタリング情報として輝度情報を生成する（ステップＳ１１０）。
【００２７】
次に、解析部４１は、全ての表示器１１のモニタリング情報を取得し、解析して該全ての表示器１１の駆動状態の解析情報を生成する。すなわち、解析部４１は、モニタリング情報として全ての表示器１１の輝度情報を取得する。そして、取得した輝度情報に基づいて、表示器１１の液晶ディスプレイ（ＬＣＤ）の輝度が、画像表示品質を保持するための所定の値よりも低下しているかどうかを判断し、その判断結果を解析情報として生成する（ステップＳ１２０）。
【００２８】
解析情報として、表示器１１の液晶ディスプレイ（ＬＣＤ）の輝度が画像表示品質を保持するための所定の値よりも低下していない旨の解析情報（輝度正常情報）を生成した場合には（ステップＳ１２０否定）、解析部４１は、該解析情報（輝度正常情報）をモニタリング部１０ｓの輝度センサに送信する。輝度センサは、この解析情報（輝度正常情報）に基づいて液晶ディスプレイ（ＬＣＤ）の輝度の測定を継続する（ステップＳ１１０）。また、解析部４１は、解析情報（輝度正常情報）を表示制御部４２に送信する。表示制御部４２は、該解析情報（輝度正常情報）に基づいて、表示器１１の輝度が正常である旨を状態表示パネル部１９に表示させる（ステップＳ１６０）。
【００２９】
一方、表示器１１の液晶ディスプレイ（ＬＣＤ）の輝度が画像表示品質を保持するための所定の値よりも低下している旨の解析情報（輝度低下情報）を生成した場合には（ステップＳ１２０肯定）、解析部４１は、バックライトの電流値調整指示情報として該解析情報（輝度低下情報）を表示器１１に送信し、表示器１１に対して液晶ディスプレイ（ＬＣＤ）のバックライトの電流値の調整を指示する（ステップＳ１３０）。表示器１１は、該解析情報（輝度低下情報）に基づいて液晶ディスプレイ（ＬＣＤ）のバックライトの電流値を調整する。
【００３０】
その後、該当する表示器１１のモニタリング部１０ｓの輝度センサが、表示器１１における画像表示時の液晶ディスプレイ（ＬＣＤ）の輝度を再測定して、モニタリング情報として調整後輝度情報を生成する（ステップＳ１４０）。解析部４１は、該当する表示器１１のモニタリング情報を取得し、解析して該表示器１１の駆動状態の解析情報を生成する。すなわち、解析部４１は、該当する表示器１１の調整後輝度情報を取得する。そして、取得した調整後輝度情報に基づいて、表示器１１の液晶ディスプレイ（ＬＣＤ）の輝度が、画像表示品質を保持するための所定の値以上に回復したかどうかを判断し、その結果を解析情報として生成する（ステップＳ１５０）。
【００３１】
表示器１１の液晶ディスプレイ（ＬＣＤ）の輝度が、画像表示品質を保持するための所定の値以上に回復したと判断した場合には（ステップＳ１５０肯定）、解析部４１は、解析情報として、表示器１１の液晶ディスプレイ（ＬＣＤ）の輝度が正常値に回復した旨の解析情報（輝度回復情報）を生成して表示制御部４２に送信する。表示制御部４２は、該解析情報（輝度回復情報）に基づいて、表示器１１の輝度が正常である旨を状態表示パネル部１９に表示させる。また、解析部４１は、該解析情報（輝度回復情報）をモニタリング部１０ｓの輝度センサに送信する。輝度センサは、該解析情報（輝度回復情報）に基づいて液晶ディスプレイ（ＬＣＤ）の輝度のモニタリングを継続する（ステップＳ１１０）。
【００３２】
一方、表示器１１の液晶ディスプレイ（ＬＣＤ）の輝度が、画像表示品質を保持するための所定の値以上に回復していないと判断した場合には（ステップＳ１５０否定）、解析部４１は、解析情報として、輝度が異常である旨の解析情報（輝度異常情報）を生成して表示制御部４２に送信する。表示制御部４２は、該解析情報（輝度異常情報）に基づいて、表示器１１の輝度が異常である旨を状態表示パネル部１９に表示させる（アラーム表示）（ステップＳ１６０）。
【００３３】
以上の処理により、本実施の形態にかかる列車内表示器管理システムは、１号車Ｔ１〜３号車Ｔ３の車両内に配置されている全表示器１１における駆動状態（液晶ディスプレイ（ＬＣＤ）の輝度状態）を状態表示パネル部１９に表示し、一括管理することができる。
【００３４】
また、上記における画像表示品質を保持するための所定の値としては、たとえば新品の表示器１１の画像表示時の標準的な輝度（標準輝度）の半減値を採用することができる。また、解析部４１は、一括管理している表示器１１全体の輝度の平均値を解析情報から算出する。そして、表示器１１における画像表示時の輝度が、一括管理している表示器１１全体の輝度の平均値と、予め設定された画像表示時の標準輝度の半減値と、の範囲内（警告状態）にある場合に、「寿命が近づいている」旨の警告として状態表示パネル部１９にアラーム表示をさせることが可能である。これにより、該表示器１１の寿命が来る前に、予め表示器１１の交換の準備をすることができる。また、交換時期が近づいている表示器１１の数量を把握することができ、メンテナンスの計画を立てる際の情報として利用できる。
【００３５】
また、解析部４１は、一括管理している各々の表示器１１の画像表示時の輝度が、予め設定された画像表示時の標準輝度の半減値と比較して、輝度が下回る状態（警告状態）にある場合に、「寿命が近づいている」旨の警告として状態表示パネル部１９にアラーム表示させることが可能である。これにより、各々の表示器１１毎に、表示器１１の寿命が来る前に、予め表示器１１の交換の準備をすることができる。また、交換時期が近づいている表示器の数量を把握することができ、メンテナンスの計画を立てる際の情報として利用できる。
【００３６】
また、画像表示品質を保持するための所定の値として輝度の半減値を採用したが、当該列車に搭載された公知の列車情報制御装置からの路線情報および列車の位置情報に基づき、当該列車の走行路線が地下鉄や長いトンネル内を走行中であって表示器１１の輝度が多少低くても表示画面を十分認識できる場合は、所定の値として輝度の半減値よりも低い値を採用することにより、表示器１１をきめ細かく管理して交換時期を延ばすことができる。
【００３７】
次に、本実施の形態にかかる列車内表示器管理システムの動作について、モニタリング情報として表示器１１における画像表示の積算時間の情報を用いた場合を例に図７を参照して説明する。図７は、列車内表示器管理システムの動作を説明するためのフローチャートである。
【００３８】
まず、各モニタリング部１０ｓの積算時間カウンタが、所定の間隔で周期的に各表示器１１における画像表示の積算時間をカウントして、モニタリング情報として積算表示時間情報を生成する（ステップＳ２１０）。
【００３９】
次に、解析部４１は、全ての表示器１１のモニタリング情報を取得し、解析して該全ての表示器１１の駆動状態の解析情報を生成する。すなわち、解析部４１は、モニタリング情報として全ての表示器１１の積算表示時間情報を取得する。そして、取得した積算表示時間情報に基づいて、表示器１１の液晶ディスプレイ（ＬＣＤ）の画像表示時間が、予め設定された規定の時間数を超えているかどうかを判断し、その判断結果を解析情報として生成する（ステップＳ２２０）。
【００４０】
解析情報として、表示器１１の積算表示時間が予め設定された規定の時間数を超えていない旨の解析情報（規定内情報）を生成した場合には（ステップＳ２２０否定）、解析部４１は、該解析情報（規定内情報）をモニタリング部１０ｓの積算時間カウンタに送信する。積算時間カウンタは、この解析情報（規定内情報）に基づいて、表示器１１における画像表示の積算時間のカウントを継続する（ステップＳ２１０）。また、解析部４１は、該外解析情報（規定内情報）を表示制御部４２に送信する。表示制御部４２は、該解析情報（規定内情報）に基づいて、表示器１１の積算表示時間が予め設定された所定の時間数を超えていない旨を状態表示パネル部１９に表示させる。
【００４１】
一方、解析情報として、表示器１１の積算表示時間が予め設定された規定の時間数を超えている旨の解析情報（規定外情報）を生成した場合には（ステップＳ２２０肯定）、解析部４１は、該外解析情報（規定外情報）を表示制御部４２に送信する。表示制御部４２は、該解析情報（規定外情報）に基づいて、表示器１１の積算表示時間が予め設定された所定の時間数を超えている旨を状態表示パネル部１９に表示させる（アラーム表示）（ステップＳ２３０）。なお、この場合も、積算時間カウンタは、表示器１１における画像表示の積算時間のカウントを継続する。
【００４２】
以上の処理により、本実施の形態にかかる列車内表示器管理システムは、１号車Ｔ１〜３号車Ｔ３の車両内に配置されている全表示器１１における駆動状態（表示器１１における画像表示の積算時間）を状態表示パネル部１９に表示し、一括管理することができる。ここで、所定の時間数は、たとえば表示器１１の標準的な寿命時間から数十時間少ない時間数とすることができる。このような時間数を設定することにより、たとえば表示器１１の画像表示時の輝度状態が正常でも、寿命が近づいていることを前もって知ることができる、該表示器１１の寿命が来る前に、予め表示器１１の交換の準備をすることができる。また、交換時期が近づいている表示器の数量を把握することができ、メンテナンスの計画を立てる際の情報として利用できる。
【００４３】
なお、モニタリング情報として、表示器１１の画面の輝度または画面表示の積算時間より表示器１１の駆動状態をモニターして寿命を推定するようにしたが、輝度および表示の積算時間を総合的に判断して乗客サービス低下とならないように交換時期を設定しても良い。
【００４４】
また、表示器１１の寿命をより精度良く判断するために、表示器１１の周辺環境等の状態、例えば車両情報装置が有する列車情報（車両内の温度、湿度、振動、供給電源の変動などの情報）も考慮したモニタリング情報とすることにより、表示器１１の寿命のよりきめ細かな管理ができる。例えば、表示器１１の輝度が半減値に達するまでの表示積算時間（点灯時間）は、表示器１１の周囲温度が低いほど短い（寿命が短い）ので、温度を考慮することにより表示器１１の管理をより精度良く行うことができる。
【００４５】
さらに、上述したような表示器１１の駆動状態の情報を、列車全体の機器の管理を行っている地上の中央配信センタに無線送信し、中央配信センタにおいて全ての路線を走行する全ての編成の表示器１１の駆動状態を一括管理することも可能である。例えば、図８は中央配信センタで表示器１１を一括管理している表示器管理装置の管理画面である。ここでは各列車の編成毎の表示器１１の駆動状態が一目でわかるようになっており、各編成の複数の表示器１１のうち１台でも異常があれば、その編成の表示器状態部に異常を表示するようになっている。そして、異常である表示器１１がどの車両のどこにある表示器かを調べる場合は、詳細情報部のアイコンをクリックすると、列車内表示器管理装置１０ａの状態表示パネル部１９と同じ内容の画面（例えば図５の表示画面）が表示されるようになっている。
【００４６】
これにより、列車車両に設置されている全ての表示器１１の駆動状態を中央配信センタにおいてリアルタイムに一括管理することができ、全ての編成の表示器１１について、寿命が来る前に予め表示器１１の交換の準備をすることができる。また、全ての編成の表示器１１を対象として、交換時期が近づいている表示器１１の数量を把握することができ、表示器１１全体のメンテナンス計画の立案が容易になる。例えば、一つの車両に６台の表示器１１が使用されており、１号車〜１０号車の１０台の車両からなる編成列車が全路線で１５０編成ある場合、全表示器１１の数量は６×１０×１５０＝９，０００台となる。このような大量の表示器１１を上述のように一括管理することにより、例えば走行中に表示器１１が突然壊れた場合でも、緊急措置として一時的に車両基地で定期点検中の編成車両の正常な表示器１１と交換することにより、乗客へのサービス低下をできるだけ回避することができる。この場合、中央配信センタから車両基地にいる車両検査員の携帯する携帯端末（携帯電話、ＰＤＡ等）に、表示器１１を一括管理している表示器管理装置の管理画面の情報を送信して、正常な表示器１１がどこにあるかを検査員が直接把握できるようにすることで、より迅速な対応が可能となる。
【００４７】
実施の形態２．
実施の形態２は、上述したモニタリング情報の他の例であり、モニタリング部１０ｓが、モニタリング情報として、表示器１１内の各構成機器（例えば液晶ディスプレイ（ＬＣＤ、電源、基板、インバータ等）における画像表示時の温度を使用する例について説明する。なお、列車内表示器管理システムの基本的構成や動作は実施の形態１の場合と同様であるため、実施の形態１の説明を参照することとしてここでは詳細な説明は省略する。
【００４８】
モニタリング部１０ｓは、各表示器１１の駆動状態を検出して表示器１１毎にモニタリング情報を生成する。ここで実施の形態２では、モニタリング部１０ｓは、たとえば、表示器１１内の各構成機器における画像表示時の温度をモニタリングしてモニタリング情報として温度情報を生成する温度センサを有する。モニタリング部１０ｓは、例えば表示器１１内の各構成機器であるＬＣＤ５１用の温度センサ５１ｐ、電源５２用の温度センサ５２ｐ、基板５３用の温度センサ５３ｐ、インバータ５４用の温度センサ５４ｐ等を有する。
【００４９】
図９は、温度センサの配置位置の一例を説明するための図であり、表示器１１内部を背面側から見た各構成機器および温度センサの配置を示す図である。温度センサは、たとえば図９に示すように表示器１１内の各構成機器の表面の温度を測定するように配置されている。なお、図９においては、ＬＣＤ５１用の温度センサ５１ｐ、電源５２用の温度センサ５２ｐ、基板５３用の温度センサ５３ｐ、インバータ５４用の温度センサ５４ｐを示しているが、温度センサは少なくとも１つの構成機器に設ければよい。
【００５０】
そして、各構成機器の温度のモニタリング情報に基づいて、図５と同様に、表示器１１の駆動状態として、たとえば表示器１１のＬＣＤ５１の温度状態を状態表示パネル部１９において一括表示し、表示器１１の駆動状態が正常である場合には該当する状態表示部５０が消灯し、表示器１１の駆動状態が異常である場合には該当する状態表示部５０が点灯し（アラーム表示）、表示器１１の駆動状態が所定の警告状態にある場合には該当する状態表示部５０が点滅（アラーム表示）するような表示形態にする。
【００５１】
次に、本実施の形態にかかる列車内表示器管理システムの動作について、モニタリング情報として液晶ディスプレイ（ＬＣＤ）５１における画像表示時の温度情報を用いた場合を例に図１０を参照して説明する。図１０は、列車内表示器管理システムの動作を説明するためのフローチャートである。
【００５２】
まず、各モニタリング部１０ｓのＬＣＤ５１用の温度センサ５１ｐが、所定の間隔で周期的に各表示器１１における画像表示時の液晶ディスプレイ（ＬＣＤ）５１の温度を測定して、モニタリング情報として温度情報を生成する（ステップＳ３１０）。
【００５３】
次に、解析部４１は、全ての表示器１１のモニタリング情報を取得し、解析して該全ての表示器１１の駆動状態の解析情報を生成する。すなわち、解析部４１は、モニタリング情報として全ての表示器１１の温度情報を取得する。そして、取得した温度情報に基づいて、表示器１１の液晶ディスプレイ（ＬＣＤ）５１の温度が、画像表示品質を保持するための所定の値よりも上昇しているかどうかを判断し、その判断結果を解析情報として生成する（ステップＳ３２０）。
【００５４】
解析情報として、表示器１１の液晶ディスプレイ（ＬＣＤ）５１の温度が画像表示品質を保持するための所定の値よりも上昇していない旨の解析情報（温度正常情報）を生成した場合には（ステップＳ３２０否定）、解析部４１は、該解析情報（温度正常情報）をモニタリング部１０ｓの温度センサ５１ｐに送信する。温度センサ５１ｐは、この解析情報（温度正常情報）に基づいて液晶ディスプレイ（ＬＣＤ）５１の温度の測定を継続する（ステップＳ３１０）。また、解析部４１は、解析情報（温度正常情報）を表示制御部４２に送信する。表示制御部４２は、該解析情報（温度正常情報）に基づいて、表示器１１（液晶ディスプレイ（ＬＣＤ）５１）の温度が正常である旨を状態表示パネル部１９に表示させる。
【００５５】
一方、表示器１１の液晶ディスプレイ（ＬＣＤ）５１の温度が画像表示品質を保持するための所定の値よりも上昇している旨の解析情報（温度上昇情報）を生成した場合には（ステップＳ３２０肯定）、解析部４１は、バックライトの電流値調整指示情報として該解析情報（温度上昇情報）を表示器１１に送信し、表示器１１に対して液晶ディスプレイ（ＬＣＤ）５１のバックライトの電流値の調整を指示する（ステップＳ３３０）。表示器１１は、該解析情報（温度上昇情報）に基づいて液晶ディスプレイ（ＬＣＤ）５１のバックライトの電流値を調整する。
【００５６】
さらに、解析部４１は、解析情報として、温度が異常である旨の解析情報（温度異常情報）を生成して表示制御部４２に送信する。表示制御部４２は、該解析情報（温度異常情報）に基づいて、表示器１１の温度が異常である旨を状態表示パネル部１９に表示させる（アラーム表示）（ステップＳ３４０）。
【００５７】
以上の処理により、本実施の形態にかかる列車内表示器管理システムは、１号車Ｔ１〜３号車Ｔ３の車両内に配置されている全表示器１１における駆動状態（液晶ディスプレイ（ＬＣＤ）５１の温度状態）を状態表示パネル部１９に表示し、一括管理することができる。なお、この状態において温度センサを液晶ディスプレイ（ＬＣＤ）５１以外の表示器１１内の構成機器（たとえばインバータ５３）に設けてモニタリング情報とすれば、表示器１１の異常がより詳細かつ事前にわかるので、より一層の乗客へのサービス向上につながる。
【００５８】
なお、上記においては、先頭列車に列車内表示器管理装置１０ａを搭載する場合について説明したが、本発明においては列車内表示器管理装置１０ａは必ずしも先頭列車に搭載しなくてもかまわない。例えば最終車両の車掌席に搭載されていても良い。また、列車内表示器管理装置１０ａは、列車内の表示器のみを管理する装置ではなく、列車内の各機器を監視するモニタリング装置（列車情報装置）に組み込んでも良い。
【００５９】
また、上記においては、解析部４１、表示制御部４２、記憶部１８および状態表示パネル部１９を列車内表示器管理装置１０ａに備えた構成について説明したが、本発明はこの構成に限定されるものではない。たとえば図１１に示すように、解析部４１としての機能を１号車Ｔ１用の解析部１００ａ、２号車Ｔ２用の解析部１００ｂ、３号車Ｔ３用の解析部１００ｃをそれぞれの車両に配置する構成としても良い。
【００６０】
この場合、列車内表示器管理装置１０ａと解析部１００ａとは伝送路１０１で接続され、解析部１００ａ、解析部１００ｂ、解析部１００ｃ同士はそれぞれ伝送路１０２を介して接続されている。これらの伝送路１０１および伝送路１０２は、デジタル伝送路およびアナログ伝送路のいずれも使用可能である。
【００６１】
上述したように、本実施の形態にかかる列車内表示器管理システムによれば、列車の車両内に配置されている複数の表示器の状態を一括して１つの画面に表示することにより、複数の表示器の状態管理を容易に一括して把握し、管理することができ、車両内に配置されている複数の表示器のメンテナンスを容易に管理することができる。
【００６２】
列車の運行中においても複数の表示器の状態管理を容易に一括して把握し、管理することができるため、メンテナンスが必要な表示器が存在する場合には列車の運行中にメンテナンスの準備を整えておき、列車の運行終了後に速やかに表示器のメンテナンスを開始することが可能である。
【産業上の利用可能性】
【００６３】
以上のように、本発明にかかる列車内表示器管理システムは、列車の車両内に複数の表示器が配置されている場合における表示器の状態管理およびメンテナンスの管理に有用である。
【図面の簡単な説明】
【００６４】
【図１】本発明の実施の形態１にかかる列車内表示器管理システムの構成を説明するための図である。
【図２】本発明の実施の形態１にかかる列車内表示器管理システムを説明するための図である。
【図３】本発明の実施の形態１にかかる列車内表示器管理システムの輝度センサの配置位置の一例を説明するための図である。
【図４】本発明の実施の形態１にかかる列車内表示器管理システムにおける列車内表示器管理装置の内部構造を示すブロック図である。
【図５】本発明の実施の形態１にかかる列車内表示器管理システムにおける状態表示パネル部の画面の一例を示した図である。
【図６】本発明の実施の形態１にかかる列車内表示器管理システムの動作を説明するためのフローチャートである。
【図７】本発明の実施の形態１にかかる列車内表示器管理システムの動作を説明するためのフローチャートである。
【図８】本発明の実施の形態１にかかる中央配信センタで表示器を一括管理している表示器管理装置の管理画面の一例を示した図である。
【図９】本発明の実施の形態２にかかる列車内表示器管理システムにおける温度センサの配置位置の一例を説明するための図である。
【図１０】本発明の実施の形態２にかかる列車内表示器管理システムの動作を説明するためのフローチャートである。
【図１１】本発明の実施の形態１、２にかかる列車内表示器管理システムの他の構成を説明するための図である。
【符号の説明】
【００６５】
２  伝送路
３  伝送路
４  伝送路
１０ａ  列車内表示器管理装置
１０ｓ  モニタリング部
１０ｓｐ  輝度センサ
１１  表示器
１１ａ、１１ｂ、１１ｃ  表示器
１１ｈ  光穴
１２ａ、１２ｂ、１２ｃ  表示器
１８  記憶部
１９  状態表示パネル部
２１ａ、２１ｂ、２１ｃ  表示器
２２ａ、２２ｂ、２２ｃ  表示器
３１ａ、３１ｂ、３１ｃ  表示器
３２ａ、３２ｂ、３２ｃ  表示器
４１  解析部
４２  表示制御部
５０  状態表示部
１００ａ  解析部
１００ｂ  解析部
１００ｃ  解析部
１０１  伝送路
１０２  伝送路
【図１】
0004684317.tif 000002
【図２】
0004684317.tif 000003
【図３】
0004684317.tif 000004
【図４】
0004684317.tif 000005
【図５】
0004684317.tif 000006
【図６】
0004684317.tif 000007
【図７】
0004684317.tif 000008
【図８】
0004684317.tif 000009
【図９】
0004684317.tif 000010
【図１０】
0004684317.tif 000011
【図１１】
0004684317.tif 000012